(57)【要約】【課題】ヒンジカバーによる防犯効果が充分に確保可能となる遊技機の提供。【解決手段】二軸ヒンジ８は、その鍔部8Bが前扉３側に形成された第１被接合部にネジ10A で接合され、ヒンジカバー30は、二軸ヒンジ８の鍔部8Bとは別の鍔部32を備え、ヒンジカバー30が接合される第１被接合部とは別の第２被接合部に、その鍔部32がネジ10C で接合されるようにしたので、ヒンジカバー30に前扉３の荷重による圧縮力が加わることがなくなり、コストの安価な合成樹脂製のヒンジカバー30を採用しても、ヒンジカバー30が変形したり凹んだりすることがなくなり、二軸ヒンジ８のネジ10A で取り付けられている部分にガタを生じさせることがない。従って、前扉３と筐体２との隙間が大きくなることがなく、不正行為の防止を充分に図れるようになり、ヒンジカバー30による防犯効果を充分に確保することができる。【選択図】    図４
2014014600.tif 000002
【特許請求の範囲】
【請求項１】
遊技動作を行う遊技装置と、この遊技装置を内部に収納する六面体の箱状に形成されているとともに、遊技者側に臨む前面が開口となっている筐体と、この筐体の前面の開口を塞ぐ前扉とを備え、前記筐体の内部空間を間に挟んで対向する一対の内側面のうち、一方の内側面の前方側縁部分に設けられた複数のヒンジを介して、前記前扉が前記筐体に回動可能に取り付けられている遊技機であって、
前記筐体及び前記前扉の一方には、前記前扉で前記筐体の開口を塞ぐと、前記筐体及び前記前扉の間に形成される隙間を塞ぐ隙間閉塞部が設けられ、
この隙間閉塞部は、前記前扉の回動に伴って移動する前記ヒンジと干渉しないように、前記ヒンジの移動経路に対応する部分が切り欠かれた切り欠き部を有し、
前記前扉には、前記前扉で前記筐体の開口を塞いだ状態にすると、前記複数のヒンジのうち、少なくとも最上位置に配置されたヒンジを覆うヒンジカバーが取り付けられ、
前記ヒンジには、前記前扉側に形成された第１被接合部に螺合するネジで、前記第１被接合部に接合される第１接合部が設けられ、
前記ヒンジカバーには、前記前扉側に形成された第２被接合部に螺合するネジで、前記第２被接合部に接合される第２接合部が設けられていることを特徴とする遊技機。
【請求項２】
前記複数のヒンジの各々は、前記前扉側に接合される前扉側部と、前記筐体側に接合される筐体側部とに分離可能とされ、
前記筐体側部には、前記前扉側部を係止するラッチ機構と、前記前扉側部の係止を解除するための解除レバーとが設けられ、
前記解除レバーは、前記筐体の前記内側面に沿って倒れている倒伏位置、及び、前記筐体の前記内側面から起きた起立位置の二位置間を揺動可能に設けられ、
前記ラッチ機構は、前記解除レバーが倒伏位置に配置された状態では、前記前扉側部の係止を維持し、前記解除レバーが起立位置に配置された状態では、前記前扉側部の係止を解除するように形成されたものであり、
前記ヒンジカバーには、前記前扉で前記筐体の開口を塞いだ状態にすると、前記解除レバーが倒伏位置から起きあがらないようにする揺動防止部が形成されていることを特徴とする請求項１記載の遊技機。
【発明の詳細な説明】
【技術分野】
【０００１】
本発明は、遊技動作を行う遊技装置と、この遊技装置を内部に収納する六面体の箱状に形成されているとともに、遊技者側に臨む前面が開口となっている筐体と、この筐体の前面の開口を塞ぐ前扉とを備え、前記筐体の内部空間を間に挟んで対向する一対の内側面のうち、一方の内側面の前方側縁部分に設けられた複数のヒンジを介して、前記前扉が前記筐体に回動可能に取り付けられている遊技機に関するものである。
【背景技術】
【０００２】
従来から、外周面に複数種類の図柄が記された複数の回転リールを備え、これらの回転リールを回転させた後、遊技者に回転リールを停止させて図柄を揃えさせる遊技を行うスロットマシンが利用されている。
【０００３】
このようなスロットマシンは、六面体の箱状に形成されるとともに、前面が開口された筐体と、この筐体の前面の開口を塞ぐ前扉とを備えたものとなっている。
ここで、筐体は、その内部に、前述した回転リール等の遊技装置、遊技装置の動作を制御する制御装置、並びに、遊技装置及び制御装置に電力を供給する電源装置が収納されたものとなっている。
また。前扉は、ヒンジを介して筐体に取り付けられ、これにより、前面の開口を閉鎖する閉鎖位置と、開口を開口する開放位置との二位置間を回動可能となっている。
【０００４】
ここで、前扉で筐体の開口を閉鎖しても、筐体と前扉との間には隙間が生じてしまうので、この隙間から筐体の内部に細長い針金状の器具を進入させることができる。
そして、隙間から筐体に内部に挿入させた細長い針金状の器具を巧みに操ることで、筐体の内部に設けられている制御装置等を不正に操作し、不正に遊技媒体を獲得するという不正行為が行われるおそれがある。
【０００５】
そこで、閉鎖位置に配置された前扉の周縁部分から筐体へ向かって突出するとともに、前扉の周縁部分に沿って延びる突条体としての隙間閉塞部を前扉に設け、前扉を閉鎖位置に配置すると、隙間閉塞部が隙間を塞ぐように形成された遊技機が知られている（例えば、特許文献１参照）。
このような隙間閉塞部を有する遊技機では、前扉が回動する際に、隙間閉塞部側におけるヒンジと干渉する部位に切り欠き部を形成し、前扉の回動に伴って隙間閉塞部が移動する際に、切り欠き部によって、隙間閉塞部のヒンジへの衝突が回避されるようになり、従って、スムースな前扉の開閉動作を実現している。
【０００６】
しかしながら、隙間閉塞部におけるヒンジ近傍部分に切り欠き部を設けると、この切り欠き部を通じて針金状の器具を筐体の内部へ進入させることができ、筐体の最上位置に配置されたヒンジは、制御装置等の近傍に配置されていることから、切り欠き部を通じて針金状の器具を筐体の内部へ進入させれば、制御装置等を不正に操作できるようになる。
そこで、前扉が閉鎖位置に配置されている状態で、ヒンジ全体を覆うとともに、ヒンジを前扉に取り付けるネジで前扉に取り付けられるヒンジカバーを設け、このヒンジカバーを前扉に取り付け、前扉で筐体を閉じると、ヒンジカバーが隙間閉塞部の切り欠き部を閉塞し、これにより、針金状の器具が筐体内の制御装置等に到達するのを防止するようにした遊技機が知られている（例えば、特許文献２参照）。
【先行技術文献】
【特許文献】
【０００７】
【特許文献１】特開２００２−１０６２４０号公報
【特許文献２】特開２００４−１４１１８２号公報
【発明の概要】
【発明が解決しようとする課題】
【０００８】
前述のような遊技機では、前扉の荷重を筐体に伝達しているヒンジを前扉に取り付けるネジでヒンジカバーも前扉に取り付けているので、ヒンジカバーにおけるネジとの接触部分に前扉の荷重による圧縮力が加わる。ここで、コストの安価な合成樹脂製のヒンジカバーを採用すると、ヒンジカバーは、前扉の荷重による圧縮力が加わった部分が次第に変形して凹んでいき、ヒンジのネジで取り付けられている部分にガタが生じ、このガタが大きくなると、前扉と筐体との隙間も大きくなり、不正行為の防止が図れず、ヒンジカバーによる防犯効果が充分に確保できない、という問題がある。
【０００９】
本発明は、以上のような課題に鑑みてなされたものであり、その目的とするところは、ヒンジカバーによる防犯効果が充分に確保可能となる遊技機を提供することにある。
【課題を解決するための手段】
【００１０】
以下に説明する各発明は、上記した目的を達成するためになされたものであり、図面に示した発明の実施の形態を用いて、以下に説明する。
なお、以下の各構成要件には、説明の便宜上、実施の形態において用いた符号を付すが、これにより、本発明の技術的範囲を限定するものではない。
【００１１】
（請求項１）
請求項１に記載の発明は、次の点を特徴とする。
すなわち、請求項１に記載の発明は、遊技動作を行う遊技装置(9E)と、この遊技装置(9E)を内部に収納する六面体の箱状に形成されているとともに、遊技者側に臨む前面が開口となっている筐体(２)と、この筐体(２)の前面の開口を塞ぐ前扉(３)とを備え、前記筐体(２)の内部空間を間に挟んで対向する一対の内側面(2E, 2F)のうち、一方の内側面(2F)の前方側縁部分に設けられた複数のヒンジ(８)を介して、前記前扉(３)が前記筐体(２)に回動可能に取り付けられている遊技機(１)であって、前記筐体(２)及び前記前扉(３)の一方には、前記前扉(３)で前記筐体(２)の開口を塞ぐと、前記筐体(２)及び前記前扉(３)の間に形成される隙間を塞ぐ隙間閉塞部(11〜14)が設けられ、この隙間閉塞部(11〜14)は、前記前扉(３)の回動に伴って移動する前記ヒンジ(８)と干渉しないように、前記ヒンジ(８)の移動経路に対応する部分が切り欠かれた切り欠き部(15)を有し、前記前扉(３)には、前記前扉(３)で前記筐体(２)の開口を塞いだ状態にすると、前記複数のヒンジ(８)のうち、少なくとも最上位置に配置されたヒンジ(８)を覆うヒンジカバー(30)が取り付けられ、前記ヒンジ(８)には、前記前扉(３)側に形成された第１被接合部に螺合するネジ(10A) で、前記第１被接合部に接合される第１接合部(8B)が設けられ、前記ヒンジカバー(30)には、前記前扉(３)側に形成された第２被接合部に螺合するネジ(10C) で、前記第２被接合部に接合される第２接合部(32)が設けられていることを特徴とする。
【００１２】
（請求項２）
請求項２記載の発明は、前述した請求項１記載の発明において、次の特徴点を備えているものである。
すなわち、請求項２記載の発明は、前記複数のヒンジ(８)の各々は、前記前扉(３)側に接合される前扉(３)側部と、前記筐体(２)側に接合される筐体(２)側部とに分離可能とされ、前記筐体(２)側部には、前記前扉(３)側部を係止するラッチ機構と、前記前扉(３)側部の係止を解除するための解除レバー(8F)とが設けられ、前記解除レバー(8F)は、前記筐体(２)の前記内側面(2F)に沿って倒れている倒伏位置、及び、前記筐体(２)の前記内側面(2F)から起きた起立位置の二位置間を揺動可能に設けられ、前記ラッチ機構は、前記解除レバー(8F)が倒伏位置に配置された状態では、前記前扉(３)側部の係止を維持し、前記解除レバー(8F)が起立位置に配置された状態では、前記前扉(３)側部の係止を解除するように形成されたものであり、前記ヒンジカバー(30)には、前記前扉(３)で前記筐体(２)の開口を塞いだ状態にすると、前記解除レバー(8F)が倒伏位置から起きあがらないようにする揺動防止部(34)が形成されていることを特徴とする。
【発明の効果】
【００１３】
（請求項１の効果）
以上のように構成されている本発明は、以下に記載されるような効果を奏する。
すなわち、請求項１に記載の発明によれば、スムースな前扉の開閉動作を実現するために、隙間閉塞部におけるヒンジ近傍部分に切り欠き部が設けられていても、前扉で筐体の開口を塞いだ状態にすると、ヒンジカバーが最上位置に配置されたヒンジを覆うとともに、隙間閉塞部の切り欠き部をも閉塞するようにしたので、隙間閉塞部の切り欠き部に挿通された針金状の器具は、ヒンジカバーに進路を阻まれ、筐体内の制御装置等に到達できなくなり、当該針金状の器具による不正行為を未然に防止することができる。
また、ヒンジは、その第１接合部が前扉側に形成された第１被接合部にネジで接合され、ヒンジカバーは、ヒンジの第１接合部とは別の第２接合部を備え、ヒンジが接合される第１被接合部とは別の第２被接合部に、その第２接合部をネジで接合するようにしたので、ヒンジカバーに前扉の荷重による圧縮力が加わることがなくなり、コストの安価な合成樹脂製のヒンジカバーを採用しても、ヒンジカバーが変形したり凹んだりすることがなくなり、ヒンジのネジで取り付けられている部分にガタを生じさせることがない。従って、前扉と筐体との隙間が大きくなることがなく、不正行為の防止を充分に図れるようになり、ヒンジカバーによる防犯効果を充分に確保することができ、これにより、前記目的が達成される。
【００１４】
（請求項２の効果）
請求項２記載の発明によれば、上記した請求項１記載の発明の効果に加え、次のような効果を奏する。
すなわち、解除レバーの操作によって、前扉側部と筐体側部とに分離可能なヒンジを採用したために、隙間閉塞部の切り欠き部から挿入された針金状の器具でヒンジの解除レバーの操作が可能となり、この解除レバーを操作して、前扉側部と筐体側部とを分離すれば、前扉と筐体との間の隙間が拡張可能となり、拡張した隙間を利用すれば、当該隙間から筐体内部に挿入した針金状の器具で不正行為を行うことができる可能となるが、請求項２に記載の発明によれば、解除レバーが倒伏位置から起きあがらないようにする揺動防止部をヒンジカバーに形成し、筐体の開口を前扉が塞いだ状態では、ヒンジカバーの揺動防止部が解除レバーの倒伏位置からの起きあがりを防止するので、前扉側部と筐体側部との分離が不可能となり、前扉と筐体との間の隙間を拡張することができない。このため、拡張した隙間を利用して針金状の器具を筐体内部に挿入することができなくなり、さらには、拡張した隙間を通じて針金状の器具を筐体内の制御装置等に到達させることもできなくなるので、当該針金状の器具による不正行為を未然に防止することができ、この点からも、ヒンジカバーによる防犯効果を充分に確保することができる。
【図面の簡単な説明】
【００１５】
【図１】本発明の一実施形態に係るスロットマシンを示す正面図である。
【図２】前記実施形態に係るスロットマシンの筐体内部を示す正面図である。
【図３】前記実施形態に係る前扉の背面を示す斜視図である。
【図４】前記実施形態に係るヒンジ回りを示す斜め上方からの斜視図である。
【図５】前記実施形態に係るヒンジ回りを示す斜め下方からの斜視図である。
【図６】前記実施形態に係るヒンジ回りを示す平断面図である。
【図７】前記実施形態に係るヒンジを覆うヒンジカバーを示す斜視図である。
【図８】前記実施形態に係るヒンジカバーを示す斜視図である。
【図９】前記実施形態に係るヒンジカバーの作用を説明するための斜視図である。
【図１０】前記実施形態に係る溝型部材回りを示す斜め上方からの斜視図である。
【図１１】前記実施形態に係る溝型部材回りを示す斜め下方からの斜視図である。
【図１２】前記実施形態に係る溝型部材回りを示す縦断面図である。
【図１３】前記実施形態に係る溝型部材を示す斜視図である。
【図１４】前記実施形態に係る溝型部材の作用を説明するための正面図である。
【図１５】前記実施形態に係る溝型部材及びヒンジカバーの作用を説明するための正面及び斜視図である。
【発明を実施するための形態】
【００１６】
以下に、本発明を実施するための形態である実施形態について、図面を参照しながら説明する。
（スロットマシン１の概略構成）
本実施形態に係る遊技機としてのスロットマシン１は、図示しない三個の回転リールを備え、これら三個の回転リールの各々に記された複数種類の図柄が所定の組合せとなるように、回転している回転リールを停止させる遊技を行うものである。また、スロットマシン１は、遊技媒体として金属製のメダルを採用したものであり、メダルの投入によって遊技を開始するように形成されている。
このようなスロットマシン１には、図１に示すように、遊技を行うために必要な遊技用の各種装置を収納するために、図１に示すように、正面形状が長方形となった筐体２が備えられている。
【００１７】
筐体２は、後述するリールユニット9E等の遊技装置を内部に収納する六面体の箱状に形成されるとともに、遊技者側に臨む前面全体が開口された部材である。そして、筐体２の前面開口は、前扉３で塞がれるようになっている。
この筐体２には、内部空間の両側を囲む一対の側板部2K, 2Lと、内部空間の後方を覆う背板部2Nと、一対の側板部2K, 2Lの上端縁同士を連結する天井板部2Jと、一対の側板部2K, 2Lの下端縁同士を連結する底板部2Mとが設けられている。
前扉３は、筐体２の前面開口を閉鎖する閉鎖位置及び筐体２の前面開口を開放する開放位置の二位置の間を回動可能となるように、後述する二軸ヒンジ８を介して筐体２に取り付けられている。
なお、前扉３は、閉じられると、自動的に施錠されるようになっている。また、前扉３の前面には、操作用のスイッチとして、後述するスタートスイッチ7Fやストップスイッチ7D等が設けられている。
【００１８】
前扉３は、図１の如く、その前面をほぼ二分する上部パネル部４及び下部パネル部５を備えたものとなっている。そして、下部パネル部５の下部には、入賞時に払い出されるメダルを貯留する受皿6Aが一体成形された受皿部６が設けられている。また、上部パネル部４と下部パネル部５との間には、遊技に係る操作を行うための操作卓７が遊技者側に突出するように形成されている。
ここで、上部パネル部４及び下部パネル部５は、意匠的に優れた外観を確保するために、合成樹脂製の化粧板が表面に張り付けられたものとなっている。
【００１９】
（上部パネル部４）
上部パネル部４には、図１中、操作卓７の上方に近接するとともに、幅方向の中央部分に配置され、且つ、長方形状に形成された表示窓4Aが設けられている。
筐体２の内部における表示窓4Aの裏側には、図示しない三個の回転リール9A が配置されている。
この表示窓4Aを通じて、三個の回転リール9Aの各外周面に記された図柄が筐体２の外部から視認可能となっている。
【００２０】
上部パネル部４の上端縁部分、換言すると、スロットマシン１の上端縁部分には、上端縁からスロットマシン１の前方斜め下方へ突出する庇状に形成された演出用照明装置4Bが設けられている。この演出用照明装置4Bは、上部パネル部４の上端縁部分のほぼ中央に配置され、その両端部は、上部パネル部４の角隅部分まで達することなく、その手前の位置で途切れたものとなっている。
また、上部パネル部４の上端近傍における両側縁には、上側の角隅部から下方へ表示窓4Aの上端縁の近傍まで、前扉３の側縁に沿って延びる帯状に形成された演出用照明装置4Cがそれぞれ設けられている。
なお、これらの演出用照明装置4Cの各々の下方には、演出用照明装置4Cよりも低い位置から下方へ前扉３の下端まで、前扉３の側縁に沿って延びる帯状に形成された演出用照明装置4Dがそれぞれ設けられている。
これらの演出用照明装置4B〜4Dの各々は、透明のレンズの内部に配置されたフルカラー高輝度発光ダイオード等の光源を備え、遊技の進行に応じて、その光源の点灯、点滅又が発光色の変更により、遊技における視覚的な演出効果を高めるものである。
【００２１】
表示窓4A及び演出用照明装置4Bの間には、表示窓4Aと同様に長方形状に形成された表示窓4Eが設けられている。この表示窓4Eの裏側には、液晶表示装置9Cが配置されている。
また、表示窓4Eの両側には、遊技に係る効果音を発生するスピーカを備えた音声出力部4Fがそれぞれ設けられている。
【００２２】
（操作卓７）
操作卓７は、遊技における操作に必要な各種のスイッチ類が配置されたものである。
すなわち、操作卓７における図１中右端の部分には、前扉３の施錠を解除するための鍵が挿入される鍵穴7Aが設けられている。この鍵穴7Aの左斜め上方には、メダルを投入するためのメダルの投入口7Bが開口されたメダルの投入部7Cが設けられている。
このメダルの投入口7Bの左斜め下方には、図１の如く、三個の回転リールのそれぞれを停止させる際に操作される三個のストップスイッチ7Dが設けられている。これら三個のストップスイッチ7Dのうち、左端に配置されているストップスイッチ7Dの左斜め上方には、最大枚数のメダルをベットするためのマックスベットスイッチ7Eが設けられている。
また、左端のストップスイッチ7Dの左方であって、マックスベットスイッチ7Eの左斜め下方の位置には、三個の回転リールを一斉に回転させる際に操作されるスタートスイッチ7Fが設けられている。
【００２３】
ここで、マックスベットスイッチ7Eの図１中左側の近傍には、１枚ベットスイッチ7G及び精算スイッチ7Hが設けられている。
マックスベットスイッチ7Eは、遊技者等が１回の押圧操作を行うと、一般的には、３枚のメダルをベットすることを命令する投入指令信号を送出するものである。
換言すると、マックスベットスイッチ7Eは、１回の押圧操作でベット可能な最大枚数である３枚のメダルをベットするための投入スイッチである。
【００２４】
また、１枚ベットスイッチ7Gは、遊技者等が１回の押圧操作を行うと、１枚のメダルをベットすることを命令する投入指令信号を送出するものである。
換言すると、１枚ベットスイッチ7Gは、１回の押圧操作で１枚のメダルをベットするための投入スイッチである。
【００２５】
残りの精算スイッチ7Hは、遊技者等が押圧操作を行うと、貯留メダルの精算動作を実行すること、あるいは、ベットされたメダルを元に戻すことを命令する精算指令信号を送出するものである。
すなわち、精算スイッチ7Hの精算指令信号は、遊技を止めるために精算を行う精算時、換言すると、メダルのベットが行われていない時に、遊技者等によって精算スイッチ7Hが押圧操作された際に精算スイッチ7Hから出力され、貯留されているすべてのメダルを払い出させる契機となるものである。
また、精算スイッチ7Hの精算指令信号は、マックスベットスイッチ7E及び１枚ベットスイッチ7Gのいずれかの押圧操作によってメダルのベットが行われた後に、精算スイッチ7Hが押圧操作されると、メダルを元の状態、すなわち、メダルのベットによって減少したメダルのクレジット値を元のクレジット値に戻す契機となるものである。
【００２６】
（下部パネル部５及び受皿部６）
下部パネル部５には、スロットマシン１のモデルタイプを象徴するキャラクター等が描かれたパネル5Aが設けられている。
受皿部６には、メダルを貯留する前述の受皿6Aに加えて、入賞時に受皿6Aへ向かって払い出されるメダルを排出させるメダル払出口6Bと、遊技に係る効果音を発生するスピーカを備えた音声出力部6Cとが設けられている。
また、パネル5Aの裏側には、図１の如く、操作卓７に設けられたメダルの投入口7Bの真下となる位置に配置されるとともに、メダルの投入口7Bに投入されたメダルを選別するメダルセレクタ9Bが設けられている。
【００２７】
（筐体２に収納されている内部装置）
次いで、筐体２の内部に設けられている内部装置について簡単に説明する。
筐体２の内部には、図２に示すように、スロットマシン１の遊技動作を制御するマイクロコンピュータからなるＣＰＵを備えた図示しない主制御基板を内蔵する主基板ケース9D、三個の回転リール9Aが回転自在に支持するとともに、これらの回転リール9Aのそれぞれを駆動する図示しないモータを備えたリールユニット9E、内部に多数のメダルを貯留させる容器部9Fを備えるとともに受皿6Aに向かってメダルを排出するホッパユニット9G、及び、これらの装置に電力を供給する電源装置9H等が設けられている。
【００２８】
このうち、主基板ケース9Dにおける図２中右端部分には、図示しない開口部と、この開口部を開閉するドア9Kとが設けられている。
そして、主基板ケース9Dにおけるドア9Kの内側には、特に図示しないが、スロットマシン１で行われる遊技の難易度を設定するために操作されるシリンダー錠式スイッチと、スロットマシン１を所定の初期状態に戻すために操作される押しボタン式のリセットスイッチとが設けられている。
また、リールユニット9Eは、遊技動作を行う遊技装置であり、前述の三個の回転リール9Aを有するものである。そして、これらの回転リール9Aの各々は、円筒状に形成され、それぞれの外周面に、図示しない複数種類の図柄が記されたものとなっている。
【００２９】
（前扉３に取り付けられている内部装置）
前扉３の裏側の面には、図３に示すように、表側の面に画面が露出している液晶表示装置9Cに対応して、液晶表示装置9C、演出用照明装置4B〜4D及び音声出力部4F, 6Cの動作を制御する図示しない副制御基板を内蔵する副基板ケース9Jが設けられている。
また、前扉３の裏側の面には、表側の面に開口されたメダルの投入口7Bに対応して、前述のメダルセレクタ9B、及び、前述の音声出力部6C等が設けられている。
【００３０】
（前扉３及び筐体２の隙間閉塞構造）
前扉３及び筐体２には、前扉３を閉鎖位置に配置した際に、前扉３と筐体２との間に形成される隙間を塞ぐ隙間閉塞構造が設けられている。
すなわち、前扉３の周縁部分を形成する四つの辺のうち、図３中、上方及び左方に配置された辺3A, 3Bには、「コ」字形状の断面を有するとともに、「コ」字形の背となる一辺から突き出た二辺の長さが異なる庇状部材11, 12がそれぞれ取り付けられている。
これらの庇状部材11, 12の各々は、「コ」字形の背となる一辺から同じ方向へ突き出た、異なる長さの二辺を有し、このうち、長い方の一辺が、閉鎖位置に配置された前扉３の周縁部分から筐体２へ向かって突出する鍔部11A, 12Aとなっている。
【００３１】
また、前扉３の周縁部分における、図３中、右方に配置された辺3Cには、Ｌ字形状の断面を有する庇状部材13が取り付けられている。
これらの庇状部材13におけるＬ字状の断面の一辺は、閉鎖位置に配置された前扉３の周縁部分から筐体２へ向かって突出する鍔部13A となっている。
庇状部材13の鍔部13A には、前扉３の回動の際に、前述の二軸ヒンジ８との干渉を回避するために、二軸ヒンジ８の取付位置に対応して切り欠かれた切り欠き部15が形成されている。
また、この切り欠き部15は、庇状部材13の端部に設けられ、庇状部材13の端部と庇状部材11の端部との間に形成された隙間になっている。このような切り欠き部15によって、庇状部材11，13の製造時における寸法誤差や、前扉３の周縁部分に取り付ける際の取付位置の誤差が吸収され、これにより、前扉３の組立作業が容易となって、その生産性が向上するようになっている。
【００３２】
さらに、前扉３の図３中の下端近傍部分には、音声出力部6Cが取り付けられた合成樹脂製のベースプレート14が設けられている。
このベースプレート14には、前扉３の周縁部分における、図３中、下方に配置された辺3Dに沿って延びるとともに、閉鎖位置に配置された前扉３の周縁部分から筐体２へ向かって突出する鍔部14A が設けられている。
以上において、ベースプレート14は、閉鎖位置に配置された前扉３の周縁部分から筐体２へ向かって突出する鍔部14A を有する庇状部材を兼用している。
【００３３】
一方、筐体２には、図２の如く、前面開口を囲む四つの周縁部2A〜2Dの各々に沿って延びているとともに、閉鎖位置に配置された前扉３へ向かって突出する突条部材21〜24が、前扉３側の庇状部材11〜14に対応して設けられている。
これらの突条部材21〜24は、前扉３が閉鎖位置に配置されると、前扉３側の鍔部11A〜14Aと僅かな間隔を開けて重なり合って、前扉３及び筐体２の間に形成される隙間を塞ぐものとなっている。
また、突条部材21〜24のうち、突条部材21, 22は、前扉３が閉鎖位置に配置されると、前扉３側の断面「コ」字形に形成された庇状部材11, 12の「コ」字形の開口内部に遊嵌されるようになっている。
【００３４】
以上において、庇状部材11〜14は、筐体２及び前扉３の一方である前扉３に設けられているとともに、前扉３で筐体２の前面開口を塞ぐと、筐体２及び前扉３の間に形成される隙間を塞ぐ隙間閉塞部となっている。
ここで、二軸ヒンジ８は、前扉３の回動に伴って、その中間部分が所定の移動経路を通って移動するものとなっている。
そして、庇状部材11〜14のうちの庇状部材13は、前扉３の回動に伴って移動する前述の二軸ヒンジ８と干渉しないように、二軸ヒンジ８の移動経路に対応する部分が切り欠かれた切り欠き部15を有するものとなっている。
【００３５】
すなわち、筐体２は、図２の如く、その内部空間を間に挟んで対向する一対の内側面2E,2Fのうち、一方の内側面2Fの前方側縁部分に２個の二軸ヒンジ８が離間して設けられている。そして、スロットマシン１は、前述したように、これらの二軸ヒンジ８を介して、前扉３が筐体２に回動可能に取り付けられたものとなっている。
【００３６】
二軸ヒンジ８には、図２の如く、前扉３の背面に当接する端面8Aの周縁から互いに反対方向へ突出するとともに、端面8Aと同一の平面を形成する鍔部8Bが設けられている。
この鍔部8Bには、前扉３に螺合させるネジ10A （図４参照）を挿通させるネジ挿通孔8Cが形成されている。
一方、前扉３の背面における二軸ヒンジ８側の端面8A及び鍔部8Bが当接する部分には、鍔部8Bのネジ挿通孔8Cに対応して、特に図示しないが、二軸ヒンジ８を前扉３に接合するためのネジ10A を螺合させるネジ孔が設けられている。
【００３７】
以上において、前扉３における二軸ヒンジ８の端面8A及び鍔部8Bが当接する部分は、前扉３側に形成された第１被接合部である。
そして、鍔部8Bは、前扉３側の第１被接合部に螺合するネジ10A で、当該第１被接合部に接合される第１接合部となっている。
【００３８】
また、二軸ヒンジ８には、図４及び図５に示すように、前扉３の内側面2Fに沿ってスロットマシン１の後方（図４中右方向）へ延びる後方延出部8Dと、この後方延出部8Dの長手方向に沿った両側縁から互いに反対方向へ突出するとともに、前扉３の内側面2Fに密着する平面を有する鍔部8Eとが設けられている。
この鍔部8Eには、筐体２に螺合させるネジ10B をそれぞれ挿通させる複数のネジ挿通孔8J（図９参照）が形成されている。
一方、筐体２の内側面2Fにおける二軸ヒンジ８の鍔部8Eが密着する部分には、鍔部8Eのネジ挿通孔8Jに対応して、二軸ヒンジ８を筐体２に接合するためのネジ10B を螺合させるネジ孔2P（図１１参照）が設けられている。
【００３９】
ここで、筐体２における二軸ヒンジ８の鍔部8Eが密着する部分は、筐体２側に形成されるとともに、二軸ヒンジ８の鍔部8Eが接合される被接合部2Q（図１１参照）である。
そして、鍔部8Eは、前扉３側の被接合部に螺合するネジ10B で、当該被接合部に接合される二軸ヒンジ８側の接合部となっている。
【００４０】
二軸ヒンジ８は、特に図示しないが、前扉３側に接合される前扉側部と、筐体２側に接合される筐体側部とに分離可能に形成されたものとなっている。
このような筐体側部は、前述の鍔部8Eを含んで形成されたものである。この鍔部8Eの近傍には、図４及び図５の如く、前扉３側の前扉側部を係止する図示しないラッチ機構と、前扉３側の前扉側部の係止を解除するための解除レバー8Fとが設けられている。
解除レバー8Fは、筐体２の内側面2Fに沿って倒れている倒伏位置、及び、先端側が筐体２の内側面2Fに向かって押されることで、全体的に起きた状態となる起立位置の二位置間を揺動可能に設けられたものとなっている。
ラッチ機構は、解除レバー8Fが倒伏位置に配置された状態では、前扉側部の係止を維持し、解除レバー8Fが押されて起立位置に到達した状態では、前扉側部の係止を解除するように形成されたものである。
【００４１】
二軸ヒンジ８の前扉側部における筐体側部との連結部分には、図４及び図５の如く、解除レバー8Fが不意に起立位置に到達しないように、倒伏位置に係止する安全レバー8Gが設けられている。
前扉側部が筐体側部に連結されている状態で、安全レバー8Gは、筐体２の内側面2Fに沿って倒れている倒伏位置、及び、先端側が筐体２の内側面2Fから離れる方向へ引っ張られることで、内側面2Fから起きた状態となる起立位置の二位置間を揺動可能に設けられたものとなっている。
また、安全レバー8Gは、断面が円形の針金状部材を「コ」字形状に折り曲げた部材からなり、且つ、図示しないバネの弾性力によって倒伏位置に向かって付勢され、外力が加わっていない状態では、バネの弾性力によって倒伏位置にとどまるようになっている。
【００４２】
一方、解除レバー8Fには、図６に示すように、図６中右方が開口されているとともに、安全レバー8Gの先端部分が内部に嵌り込む凹部8Hが形成れている。
ラッチ機構は、安全レバー8Gと、解除レバー8Fの凹部8Hとを含んで構成されたものであり、安全レバー8Gが倒伏位置に配置されている状態では、安全レバー8Gの先端部分が凹部8Hの内部に嵌り込み、解除レバー8Fを係止し、解除レバー8Fが起立位置へ移動するのを阻止するようになっている。
このようなラッチ機構により、解除レバー8Fは、安全レバー8Gが故意に倒伏位置から起立位置へ移動されない限り、凹部8Hが安全レバー8Gの先端部分に係止されて倒伏位置に固定され、不意に起立位置へ移動しないようになっている。
【００４３】
このような二軸ヒンジ８を介して筐体２に連結されている前扉３の背面には、二軸ヒンジ８を覆うヒンジカバー30が設けられている。
ヒンジカバー30は、二つの二軸ヒンジ８のうち、図４及び図５の如く、最上位置に配置された二軸ヒンジ８の近傍に設けられ、且つ、前扉３で筐体２の開口を塞いだ状態にすると、図６、図７（Ａ）及び図７（Ｂ）に示すように、二軸ヒンジ８の全体を覆う箱状の部材である。
【００４４】
さらに詳しく説明するとまた、ヒンジカバー30は、前扉３で筐体２の開口を塞いだ状態において、前扉３に臨む面に、図８（Ａ）及び（Ｂ）に示すように、開口部31A が形成されているとともに、筐体２に臨む面に、図８（Ｂ）に示すように、開口部31B が形成されたものである。
ここで、前扉３に接合されている二軸ヒンジ８の鍔部8Bは、ヒンジカバー30の開口部31A の内部に収納されている。これにより、ヒンジカバー30は、前扉３に固定されても、二軸ヒンジ８との機械的な干渉が回避されるようになっている。
また、二軸ヒンジ８の後方延出部8Dは、開口部31B を通じてヒンジカバー30の内部に進入可能、且つ、ヒンジカバー30の内部から退出可能となっている。これにより、ヒンジカバー30が前扉３に固定されても、前扉３の回動に伴って移動する二軸ヒンジ８の後方延出部8Dとの機械的な干渉が回避されるようになっている。
【００４５】
このようなヒンジカバー30には、図８(Ａ)及び（Ｂ）の如く、開口部31A を囲む周縁部分に配置されているとともに、前扉３の背面に当接する平面32A をそれぞれ有する複数の鍔部32が設けられている。
これらの鍔部32の各々には、前扉３に螺合させるネジ10C （図４及び図５参照）を挿通させるネジ挿通孔32B が形成されている。
ここで、ヒンジカバー30における図８中上方の面30A には、スロットマシン１の外部から挿入された針金状の器具の障害物となるリブ35が立設されている。このリブ35については、後で詳しく説明する。
なお、図８に示すヒンジカバー30は、図４等の他の図に示すヒンジカバー3とは、鍔部32の配置が相違するバリエーションである。このヒンジカバー30の鍔部32の配置は、実施にあたり適宜選択でき、ヒンジカバー30としては、本実施形態で示していない位置に鍔部32が配置されたものも採用できる。
【００４６】
以上において、前扉３におけるヒンジカバー30の鍔部32が当接する部分は、図４の如く、前扉３側に形成されている第２被接合部となっており、二軸ヒンジ８に形成された第１接合部としての鍔部8Bが接合された第１被接合部の近傍に配置されている。
そして、鍔部32は、図４及び図５の如く、前扉３側の第２被接合部に螺合するネジ10C で、当該第２被接合部に接合される第２接合部となっている。
【００４７】
また、ヒンジカバー30には、図７（Ａ）及び（Ｂ）の如く、前扉３で筐体２の開口を塞いだ状態にすると、二軸ヒンジ８における解除レバー8Fの近傍部分を収納する略「コ」字形状の凹部33が設けられている。
そして、ヒンジカバー30における凹部33の「コ」字の背に沿った端縁部分は、解除レバー8Fが倒伏位置から起きあがらないようにする揺動防止部34となっている。
すなわち、ヒンジカバー30の揺動防止部34は、前扉３で筐体２の開口を塞いだ状態にすると、二軸ヒンジ８の安全レバー8Gを押さえ込んで、安全レバー8Gが倒伏位置から起立位置へ移動するのを阻止するものとなっている。
これにより、前扉３が筐体２の開口を塞いだ状態にされている限り、安全レバー8Gが起立位置に到達せず、解除レバー8Fが倒伏位置から起きあがらないようになっている。
【００４８】
以上において、スムースな前扉３の開閉動作を実現するために、庇状部材13における二軸ヒンジ８の近傍部分に切り欠き部15が設けられていても、前述のようなヒンジカバー30を設け、前扉３が筐体２の開口を塞いだ状態にすると、図９に示すように、ヒンジカバー30が最上位置に配置された二軸ヒンジ８を覆って、庇状部材13の切り欠き部15をも閉塞するようにしたので、庇状部材13の切り欠き部15に針金状の器具αを挿通しようとしても、当該針金状の器具αの先端がヒンジカバー30に進路を阻まれ、筐体２内の主基板ケース9D及び副基板ケース9Jに到達することがない。
【００４９】
このような最上位置に配置された二軸ヒンジ８の上方には、図４、図５、図７及び図９に示すように、前扉３に設けられた庇状部材11の鍔部11A を内部に遊嵌させる溝部41が形成された溝型部材40が設けられている。
ここで、庇状部材11の鍔部11A における溝型部材40側の端部には、回動する前扉３との干渉を回避するために、当該端部側に位置する角隅部が斜めに切り欠かれて傾斜部11B が形成されている。
そして、溝型部材40は、図１０に示すように、庇状部材11の鍔部11A に形成された傾斜部11B に応じて、長方形の一の角隅部を斜めに欠くことで五角形となった平面形状を有する部材である。
このような五角形の平面形状にすることで、溝型部材40も、回動する前扉３との干渉を回避できるようになっている。
【００５０】
また、溝型部材40は、図７に示すように、ネジ10D を挿通させるネジ挿通孔42が形成されたものである。
このような溝型部材40は、筐体２における側板部2Lと天井板部2Jとが交差することで形成された入り隅部分に配置され、ネジ挿通孔42に挿通されたネジ10D を天井板部2Jに螺合させることで、天井板部2Jに取り付けられている。
【００５１】
ここで、側板部2Lに設けられた突条部材23と、天井板部2Jに設けられた突条部材21とは、図１０の如く、側板部2Lと天井板部2Jとが形成する入り隅部分で接しておらず、その端部の間には隙間25が形成されている。
この隙間25によって、突条部材21，23の製造時における寸法誤差や、筐体２の周縁部分に取り付ける際の取付位置の誤差を吸収することができ、筐体２の組立作業が容易となって、その生産性が向上するようになっている。
また、溝型部材40における溝部41が形成された部分の厚さ寸法βは、隙間25に応じた寸法とされ、これにより、側板部2Lと天井板部2Jとが形成する入り隅部分に溝型部材40が配置されると、隙間25の内部に溝型部材40がほぼぴったりと収まるようになっている。
【００５２】
図１１及び図１２において、前扉３に設けられた庇状部材13の鍔部13A は、前述したように、二軸ヒンジ８の近傍部分に切り欠き部15が設けられたものとなっている。
また、前扉３に設けられた庇状部材11は、図１１及び図１２に示すように、筐体２の天井板部2Jに向かって突出する鍔部11A を有するものとなっている。
【００５３】
以上において、溝型部材40は、図１３に示すように、断面「コ」字形状の溝部41を有する部材である。
このような溝型部材40には、「コ」字形の背となる部分を形成する背板部43と、背板部43の図１３中上方に位置するとともに、溝型部材40の平面形状全体に広がる上方鍔部44と、背板部43の図１３中下方に位置するとともに、背板部43から図１３中左側へ突出する下方鍔部45とが設けられている。
【００５４】
上方鍔部44は、図１３中上方を向いた面が、筐体２の天井板部2Jに対向するとともに、当該筐体２の天井板部2Jに近接する（図１２参照）する筐体近接面44A となっている。
図１２に戻って、上方鍔部44は、図１２に示すように、前扉３側に配置された前端縁の近傍部分が図１２中、先端へ向かって上り勾配となるように斜め上方へ延びたものとなっている。
下方鍔部45は、図１２の如く、先端へ向かって下り勾配となるように、全体的に斜め下方へ延びたものとなっている。
これにより、溝部41は、奥よりも入口側が広がった開口を有するものとなっており、
庇状部材11や二軸ヒンジ８に製作時の寸法誤差や取付誤差があっても、前扉３を閉鎖すると、庇状部材11の鍔部11A が確実に溝部41の内部に入り込むようになっている。
【００５５】
筐体近接面44A には、図１３（Ａ）に示すように、溝部41とは反対側に位置する端縁に沿って延びる立ち上がり部44B と、図１３（Ａ）中、右側の端縁に沿って延びる立ち上がり部44C と、ネジ挿通孔42の周囲に沿って形成された筒状の立ち上がり部44D とが突設されている。
【００５６】
立ち上がり部44B における筐体近接面44A に臨む側面には、筐体近接面44A から、図１３（Ａ）中、上方へ突出するリブ部44E が突設けられている。
このリブ部44E には、筐体近接面44A から突出する突出方向における途中部分に、図１３（Ａ）中、上向きとなった段付面44F が形成されている。
【００５７】
ここで、立ち上がり部44C 及び段付面44F は、図１２の如く、筐体近接面44A からの突出寸法が同一、且つ、突条部材21の厚さに応じた寸法に設定されている。
一方、立ち上がり部44B は、筐体近接面44A からの突出寸法が、立ち上がり部44C 及び段付面44F の突出寸法よりも大きな寸法であって、上方鍔部44における前扉３側に配置された前端縁の上り勾配に応じた寸法に設定されている。
なお、立ち上がり部44D は、筐体近接面44A からの突出寸法が、立ち上がり部44C 及び段付面44F よりも若干小さな寸法となっている。
また、溝型部材40の立ち上がり部44B は、突条部材21の背面側の端縁よりも奥に配置されている。
【００５８】
以上において、溝型部材40は、立ち上がり部44B 及び立ち上がり部44C によって、筐体近接面44A が天井板部2Jの下面から離間して状態で、天井板部2Jに取り付けられている。これにより、溝型部材40は、溝部41の開口が漏斗状に広がるように、上方鍔部44における前扉３側に配置された前端縁の近傍部分が、図１２中、先端へ向かって上り勾配となっていても、天井板部2J及び突条部材21のいずれにも干渉しないようになっている。
【００５９】
また、溝型部材40の筐体近接面44A が天井板部2Jの下面から離間し、且つ、溝型部材40の背面側の端縁が突条部材21の背面側の端縁よりも奥に配置されていることから、溝型部材40の背面側の端縁近傍において、溝型部材40と天井板部2Jとの間に隙間が形成されているが、立ち上がり部44B の先端が天井板部2Jの下面に当接し、これにより、溝型部材40と天井板部2Jとの間に形成される隙間は、立ち上がり部44B によって閉塞されている。
【００６０】
さらに、溝型部材40の筐体近接面44A が突条部材21の下面から離間し、溝型部材40と突条部材21との間に隙間が形成されているが、立ち上がり部44C の先端が突条部材21の下面に当接し、これにより、溝型部材40と突条部材21との間に形成される隙間は、立ち上がり部44C によって閉塞されている。
【００６１】
溝型部材40には、図１０の如く、側板部2Lに近接する溝部41の端部下方に配置されているとともに、溝型部材40の下面から下方へ突出する突起部46が設けられている。
この突起部46は、図１３（Ｂ）の如く、Ｌ字形状の平断面を有し、図１０の如く、側板部2Lの前方の側縁に設けられた突条部材23に沿うように形成されている。
そして、溝型部材40は、天井板部2Jに取り付けられると、突条部材23との間に形成されている隙間を突起部46が後方から塞ぐように形成されている。
これにより、前扉３と筐体２との隙間から挿入された針金状の器具の先端部分が溝型部材40に形成された突起部46の手前まで到達しても、突条部材23との間に形成されている隙間を突起部46が後方から塞ぐので、この針金状の器具の先端部分が、当該隙間から筐体２の奥へ進むことが困難となっている。
また、溝型部材40は、略長方形の平面形状を有するものとなっている。ここで、溝型部材40の平面形状は、スロットマシン１の幅方向に沿って辺と、奥行き方向に沿った辺の寸法比が２：１程度の略長方形となっており、奥行き方向に沿った辺の寸法も充分長く確保されたものとなっている。
【００６２】
上方鍔部44における図１３（Ｂ）中、下方を向いた下面には、図１３（Ｂ）の如く、上方鍔部44の当該下面と背板部43の側面とを連結するとともに、三角形状に形成された複数のスティフナ47が設けられている。
このようなスティフナ47によって、溝型部材40は、背板部43及び上方鍔部44、このうち、特に、背板部43の剛性が確保され、溝部41の内部に入り込んだ器具に押されても、背板部43が大きく変形しないようになっている。
【００６３】
以上において、生産性を向上するために、側板部2Lに設けられた突条部材23の端部と、天井板部2Jに設けられた突条部材21の端部との間に隙間25が形成され、且つ、庇状部材13における二軸ヒンジ８の近傍部分に切り欠き部15が設けら、前扉３が筐体２の開口を塞いだ状態にしても、前扉３及び筐体２の間に隙間に針金状の器具γの先端が挿入されると、当該器具γの先端は、切り欠き部15を通過して、図１４に示すように、隙間25の直前まで到達してしまう。
しかし、隙間25は、溝型部材40で塞がれているので、当該針金状の器具γの先端が隙間25の内部に入ることができない。
そして、針金状の器具γの先端は、溝型部材40の溝部41によって、前扉３の背面に沿った横方向に案内され、筐体２の奥へ向かって進むことができず、従って、筐体２内の主基板ケース9D及び副基板ケース9Jに到達することがない。
【００６４】
なお、溝型部材40の図１４中左側の端部と側板部2Lとの間には、針金状の器具γでも進入が難しい狭い隙間が形成され、万が一、この狭い隙間に、器具γよりもさらに細い針金状の器具が挿入されたとしても、挿入された針金状の器具は、溝型部材40の溝型部材40の奥行き方向に沿った辺に先端部分が案内され、前述したように、溝型部材40の奥行き方向に沿った辺の寸法も充分長く確保されているので、溝型部材40の奥側の端縁近傍に先端部分は、スロットマシン１の幅方向へ方向転換することが困難となり、筐体２内の主基板ケース9D及び副基板ケース9Jに到達することがない。
【００６５】
ここにおいて、ヒンジカバー30のリブ35は、溝型部材40と突条部材23との間に形成されている隙間を塞ぐものである。
すなわち、溝型部材40の突起部46及びヒンジカバー30のリブ35は、図１５（Ａ）に示すように、互いに先端部分が重なり合うものとなっている。このうち、ヒンジカバー30のリブ35の方が溝型部材40の突起部46よりも筐体２の奥側に配置されている。
ここで、溝型部材40と突条部材23との間に形成されている隙間は、溝型部材40の突起部46及びヒンジカバー30のリブ35によって二重に塞がれている。
これにより、万が一、前扉３と筐体２との隙間から挿入された針金状の器具の先端部分が溝型部材40に形成された突起部46を抜けて、ヒンジカバー30のリブ35の手前まで到達しても、ヒンジカバー30のリブ35が障害物となって、この針金状の器具の先端部分が、リブ35よりも筐体２の奥へ進むことを阻止するようになっている。
【００６６】
また、溝型部材40及びヒンジカバー30は、図１５（Ｂ）に示すように、上下に重なり合ったものとなっている。
これにより、溝型部材40と突条部材23との間は、溝型部材40の突起部46及びヒンジカバー30のリブ35によって二重に塞がれて通ることができないので、ヒンジカバー30を上方へ押し上げて、ヒンジカバー30の下方に新たな隙間を形成しようとしても、上方の溝型部材40によってヒンジカバー30を上方へ押し上げることが阻止され、ヒンジカバー30の下方に新たな隙間を形成することが不可能となっている。
あるいは、溝型部材40を下方へ押し下げて、溝型部材40の上方に新たな隙間を形成しようとしても、下方のヒンジカバー30によって溝型部材40を下方へ押し下げることが阻止され、溝型部材40の上方に新たな隙間を形成することが不可能となっている。
【００６７】
前述のような本実施形態によれば、次のような効果が得られる。
すなわち、筐体２に設けられた複数の二軸ヒンジ８のうち、最上位置に配置された二軸ヒンジ８の上方に配置されるとともに、前扉３に設けられた庇状部材11の鍔部11A を内部に遊嵌させる溝部41が形成された溝型部材40を筐体２の天井部材2Jに設けたので、前扉３の背面における二軸ヒンジ８の上方に位置する角隅部分において、交差する突条部材21の端部と突条部材23の端部との間に隙間25が形成されても、当該隙間25を溝型部材40で塞ぐことができる。
【００６８】
また、前扉３の背面における二軸ヒンジ８の上方に位置する角隅部分において、交差する庇状部材13の端部に切り欠き部15が設けられ、この切り欠き部15によって隙間が形成されても、当該隙間が溝型部材40の溝部41に連通するようになっている。
この際、溝型部材40の溝部41は、庇状部材11の長手方向、すなわち、前扉３の上縁部分に沿って延びていることから、天井部材2Jの前縁に沿って延びるものとなる。
このため、前扉３と筐体２との隙間に挿入された細長い針金状の器具が、庇状部材13の切り欠き部15を通って溝型部材40に達しても、細長い針金状の器具の先端は、溝型部材40の溝部41に案内されて、天井部材2Uの前縁に沿って進むようになるので、筐体２の内部へ向かって進むことができなくなり、筐体２の内部に設けられている主基板ケース9D等に到達できない。
これにより、前扉３と筐体２との隙間に、細長い針金状の器具を挿入しても、この細長い針金状の器具で主基板ケース9D等を不正に操作することができず、遊技媒体であるメダルを不正に獲得するという不正行為を未然に防止でき、以上により、前扉３における二軸ヒンジ８の上方に細長い針金状の器具が挿通可能な切り欠き部15があっても、当該細長い針金状の器具による不正行為を未然に防止することができる。
【００６９】
ここで、溝型部材40の溝部41の内部に庇状部材11の鍔部11A が遊嵌されようにしたので、庇状部材11と溝型部材40との間には、隙間があり、この隙間によって、庇状部材11及び溝型部材40の製造時における寸法誤差や、庇状部材11及び溝型部材40を前扉３及び筐体２のそれぞれに取り付ける際の取付位置の誤差が吸収されるようになり、これにより、前扉３及び筐体２の組立作業を容易にし、ひいては、スロットマシン１に優れた生産性を付与することができる。
【００７０】
さらに、スムースな前扉３の開閉動作を実現するために、庇状部材13における二軸ヒンジ８近傍部分に切り欠き部15が設けられていても、前扉３で筐体２の開口を塞いだ状態にすると、ヒンジカバー30が最上位置に配置された二軸ヒンジ８を覆うとともに、庇状部材13の切り欠き部15をも閉塞するようにしたので、庇状部材13の切り欠き部15に挿通された針金状の器具は、ヒンジカバー30に進路を阻まれ、筐体２内の主基板ケース9D等に到達できなくなり、当該針金状の器具による不正行為を未然に防止することができる。
【００７１】
また、二軸ヒンジ８は、その鍔部8Bが前扉３側に形成された第１被接合部にネジ10A で接合され、ヒンジカバー30は、二軸ヒンジ８の鍔部8Bとは別の鍔部32を備え、ヒンジカバー30が接合される第１被接合部とは別の第２被接合部に、その鍔部32をネジ10C で接合するようにしたので、ヒンジカバー30に前扉３の荷重による圧縮力が加わることがなくなり、コストの安価な合成樹脂製のヒンジカバー30を採用しても、ヒンジカバー30が変形したり凹んだりすることがなくなり、二軸ヒンジ８のネジ10A で取り付けられている部分にガタを生じさせることがない。従って、前扉３と筐体２との隙間が大きくなることがなく、不正行為の防止を充分に図れるようになり、ヒンジカバー30による防犯効果を充分に確保することができる。
【００７２】
さらに、二軸ヒンジ８は、解除レバー8Fの操作によって、前扉側部と筐体側部とに分離可能なものであるため、庇状部材13の切り欠き部15から挿入された針金状の器具で、二軸ヒンジ８の解除レバー8Fを操作して、二軸ヒンジ８を前扉側部と筐体側部とに分離し、前扉３と筐体２との間の隙間が拡張され、拡張された隙間から筐体２内部に挿入した針金状の器具で不正行為が行われるおそれがあるが、解除レバー8Fの操作を規制する安全レバー8Gが倒伏位置から起きあがらないようにする揺動防止部34をヒンジカバー30に形成し、筐体２の開口を前扉３が塞いだ状態では、ヒンジカバー30の揺動防止部34が安全レバー8Gを押さえ込んで、安全レバー8Gの操作を行えないようにし、これにより、解除レバー8Fの倒伏位置からの起きあがりを防止するので、前扉側部と筐体側部との分離が不可能となり、前扉３と筐体２との間の隙間を拡張することができず、従って、拡張した隙間から挿通した針金状の器具で、筐体２内の主基板ケース9D等を不正に操作することもできず、当該針金状の器具による不正行為を未然に防止することができ、この点からも、ヒンジカバー30による防犯効果を充分に確保することができる。
【００７３】
なお、本発明は、前記実施形態に限定されるものではなく、本発明の目的を達成できる範囲における変形及び改良などをも含むものである。
例えば、解除レバーの操作で前扉側部と筐体側部とに分離可能なヒンジとしては、解除レバーの操作を規制する安全レバーを備えたものに限らず、安全レバーが省略されたものでもよい。
ヒンジから安全レバーを省略する場合、例えば、筐体２の内側面2Fに沿って倒れている倒伏位置に解除レバーが配置されている状態では、前扉側部と筐体側部とを分離することができず、解除レバーの先端側が筐体２の内側面2Fから離れる方向へ引っ張られることで、内側面2Fから起きた状態となる起立位置に配置された状態で、前扉側部と筐体側部とを分離できるように形成されたものを採用するのが好ましい。このようなヒンジを採用すれば、ヒンジカバー30の揺動防止部34で解除レバーを倒伏位置に押さえ込むことができ、前扉３を開かなければ、ヒンジを分離できず、この点から、防犯効果を充分に確保することができる。
さらに、遊技機としては、スロットマシンに限らず、ゲームセンター等に設置されるアーケードゲームでもよく、本発明は、前扉と筐体との間の隙間に挿入された細長い針金状の器具によって不正行為がなされるおそれのある遊技機全般に適用することができる。
【符号の説明】
【００７４】
1        遊技機としてのスロットマシン
2        筐体
2E, 2F       内側面
3        前扉
8        ヒンジとしての二軸ヒンジ
8B       第１接合部としての鍔部
8F       解除レバー
9E       遊技装置としてのリールユニット
10A       ネジ
10C       ネジ
11〜14        隙間閉塞部としての庇状部材
15        切り欠き部
30        ヒンジカバー
32        第２接合部としての鍔部
34        揺動防止部
【図１】
2014014600.tif 000003
【図２】
2014014600.tif 000004
【図３】
2014014600.tif 000005
【図４】
2014014600.tif 000006
【図５】
2014014600.tif 000007
【図６】
2014014600.tif 000008
【図７】
2014014600.tif 000009
【図８】
2014014600.tif 000010
【図９】
2014014600.tif 000011
【図１０】
2014014600.tif 000012
【図１１】
2014014600.tif 000013
【図１２】
2014014600.tif 000014
【図１３】
2014014600.tif 000015
【図１４】
2014014600.tif 000016
【図１５】
2014014600.tif 000017